(57)【特許請求の範囲】
【請求項１】
レンズ部と、このレンズ部の光軸を含む平面を中心としてその両側に位置するガイド穴及びガイドピンとを有する可動レンズ；
前記ガイド穴に相対回動及び相対摺動自在に嵌まる、光軸と平行なガイド軸；
前記ガイドピンが相対摺動自在に嵌まる光軸と平行な直進溝を有する、固定枠に形成した付勢シート固定壁面；
一面部が固定枠の前記付勢シート固定壁面に沿わせて固定され、この一面部に対して一定の角度に折り曲げられた当接面部が自由状態より開かれて前記可動レンズに当接し、該当接面部の復元力によって可動レンズを光軸と直交する方向に付勢する合成樹脂材料からなる付勢シート；及び
この付勢シートの当接面部の最大開き角を、該当接面部が常時前記可動レンズに接触するように規制する、前記固定枠に設けた規制部材；
を有することを特徴とするレンズ案内機構。
【請求項２】
請求項１記載のレンズ案内機構において、前記可動レンズは、ズームファインダの変倍レンズであるレンズ案内機構。
【発明の詳細な説明】
【０００１】
【技術分野】
本発明は、可動レンズ枠のレンズ案内機構に関する。
【０００２】
【従来技術およびその問題点】
例えば、変倍レンズ（可動レンズ）を光軸方向に進退させることによってファインダ視野を変化させるズームファインダでは、可動レンズを案内するための各構成部材にその製造誤差を許容する遊びが設けられている。この遊びによって可動レンズが光軸と直交する方向に動いてしまうと、ファインダ視野に不要な変動（倍率変更以外の変動）が生じるため、従来、可動レンズを光軸と直交するいずれかの方向に付勢する付勢手段を設けている。
【０００３】
この付勢手段として、合成樹脂シート材、例えば塩化ビニル（ＰＶＣ）からなるシート材を一定の角度に折り曲げて形作られた付勢シートの開こうとする復元力を用いた装置が知られている。この装置は、可動レンズとレンズ枠（固定枠）との間に、Ｖ字状に曲げた付勢シートを挿入し、該シートの開こうとする復元力を利用したものであり、経年変化や温度によって付勢シートが平板に戻ろうとしても、付勢力が弱くなることはないという利点がある。
【０００４】
しかし、可動レンズとレンズ枠（固定枠）の位置関係によっては、付勢シートの閉じようとする復元力を利用する場合があり、この場合には付勢シートによる付勢力が経年変化や温度上昇によって徐々に弱くなってしまうという問題があった。
【０００５】
【発明の目的】
本発明は従って、Ｖ字状に曲げた付勢シートの閉じようとする付勢力で可動レンズを光軸と直交する方向に移動付勢するレンズ案内装置において、経年変化や温度変化による影響を受けにくいレンズ案内機構を提供することを目的とする。
【０００６】
【発明の概要】
本発明によるレンズ案内機構は、レンズ部と、このレンズ部の光軸を含む平面を中心としてその両側に位置するガイド穴及びガイドピンとを有する可動レンズ；前記ガイド穴に相対回動及び相対摺動自在に嵌まる、光軸と平行なガイド軸；前記ガイドピンが相対摺動自在に嵌まる光軸と平行な直進溝を有する、固定枠に形成した付勢シート固定壁面；一面部が固定枠の前記付勢シート固定壁面に沿わせて固定され、この一面部に対して一定の角度に折り曲げられた当接面部が自由状態より開かれて前記可動レンズに当接し、該当接面部の復元力によって可動レンズを光軸と直交する方向に付勢する合成樹脂材料からなる付勢シート；及びこの付勢シートの当接面部の最大開き角を、該当接面部が常時前記可動レンズに接触するように規制する、前記固定枠に設けた規制部材；を有することを特徴としている。
【０００７】
本発明は、どの光学機器の可動レンズにも適用できるが、ファインダの変倍レンズに適用すれば、ファインダ視野の変動を防止できる。
【０００８】
【発明の実施の形態】
以下、図を参照して本発明の実施形態を説明する。図１は、本実施形態によるズームファインダの正面図である。このズームファインダは、直進ガイド軸２０、ファインダ枠（固定枠）３０および変倍レンズ（可動レンズ）１０を有している。直進ガイド軸２０とファインダ枠３０は紙面に垂直な方向（光軸方向）に延びる一様断面をなしている。遮光性を有するファインダ枠３０は、カメラ側部材（図示せず）に固定されていて、変倍レンズ１０の光軸方向の移動範囲を全てカバーしており、このファインダ枠３０の内部に変倍レンズ１０と直進ガイド軸２０が収納されている。
【０００９】
変倍レンズ１０の隅部には光軸と平行なガイド穴１１が形成されている。ガイド穴１１には上記ガイド軸２０が貫通していて、変倍レンズ１０を回動および摺動自由に保持している。また、光軸を含む鉛直面を対称の中心として、変倍レンズ１０のガイド穴１１の略対称位置には、円柱状のガイドピン１２が形成されている。一方ファインダ枠３０には、このガイドピン１２に対応する直進溝３２が形成されている。直進溝３２は、幅がガイドピン１２の直径よりもわずかに大きく、光軸方向に長く形成されている。ガイドピン１２はこの直進溝３２にゆるく係合し、変倍レンズ１０を、ガイド軸を中心として回動することを防ぎながら、光軸方向に移動可能にガイドしている。
【００１０】
ガイドピン１２と直進溝３２との間には、組立作業性や精度を考慮した遊びが設けられている。このため変倍レンズ１０が直進ガイド軸２０を中心としてわずかに回転可能であり、この回転が生じると視野が変化してしまう。この視野変化を防ぐため、変倍レンズ１０を光軸と直交するいずれかの方向に常に付勢する必要があり、このために付勢シート４０が用いられている。
【００１１】
この実施形態は、直進ガイド軸２０（ガイド穴１１）と直進溝３２（ガイドピン１２）の位置関係を考慮して、変倍レンズ１０をガイド軸２０を中心にして図１の時計方向に回動付勢したものである。付勢シート４０は、断面Ｖ字型、すなわち固定面部（一面部）４１に対して当接面部４２を一定の角度に折り曲げた塩化ビニル（ＰＶＣ）平板からなっており、この付勢シート４０の折り曲げた角部分をファインダ枠３０の、直進ガイド軸２０と反対側の、直進溝３２が設けられている側面の内壁と上面の内壁との角に合わせて位置させ、固定面部（一面部）４１をファインダ枠３０の直進ガイド軸２０と反対側の、直進溝３２が設けられている側面の内壁に両面テープ５０で固定し、当接面部４２は変倍レンズ１０の上方のスペースに位置させる。付勢シート４０は、力を加えられていない自由状態（図１に２点鎖線で示す状態）よりも開いた状態で設置されており、閉じようとする復元力により、変倍レンズ１０を下方へ押す付勢力を与えている。
【００１２】
付勢シート４０は、ＰＶＣの平板を折り曲げて一定の角度を保つようにしたものであるから、経年変化や高温下では平板に復元しようとしてしまい、付勢力を失ってしまう可能性がある。これを防ぐためにファインダ枠３０の上面の内壁に、光軸方向に長い規制部材（突起部）３１を設けている。この突起部３１が当接面部４２に当接することによって、付勢シート４０が図１に実線で示す角度よりも開かないように規制し、常時当接面部４２を変倍レンズ１０に当接させている。突起部３１の大きさは、ガイドピン１２と直進溝３２のガタの大きさや付勢シート４０の弾性を考慮して適当に決定すればよい。つまり付勢シート４０は、経年変化や高温によって開こうとしても開いてしまうことなく、変倍レンズ１０を下方へ付勢する付勢力を保つことができる。
【００１３】
図２は、Ｖ字状に曲げた付勢シート４０の開こうとする復元力を用いるのは適当でない場合を示している。すなわち、この例では、変倍レンズ１０の光軸に関し略対称位置に、ガイド軸２０と、付勢シート４０の当接面部４２の着力点とが位置してしまうため、変倍レンズ１０に有効な回転方向の付勢力を与えることができない。図２では、図１と共通の構成要素には同一の符号を付した。
【００１４】
上記実施例ではズームファインダの変倍レンズ案内機構に本発明を適用したが、これに限らず例えば視度調整レンズの案内機構等にも本発明を適用できる。
【００１５】
【発明の効果】
本発明によれば、Ｖ字状に曲げた付勢シートの閉じようとする付勢力で可動レンズを光軸と直交する方向に移動付勢するレンズ案内装置において、付勢シートに経年変化や温度変化があっても、可動レンズを常に一定方向に付勢することができる。
【図面の簡単な説明】
【図１】本発明によるレンズ案内機構の一実施形態を示す正面図である。
【図２】Ｖ字状に曲げた付勢シートの開こうとする復元力を利用するのは効率が悪い配置例を示す図１に対応する正面図である。
【符号の説明】
１０    変倍レンズ（可動レンズ）
１１    ガイド穴
１２    ガイドピン
２０    直進ガイド軸
３０    ファインダ枠
３１    規制部材（突起部）
３２    直進溝
４０    付勢シート
４１    固定面部
４２    当接面部
５０    両面テープ
【図１】
0004343339.tif 000002
【図２】
0004343339.tif 000003